(57)【特許請求の範囲】
【請求項１】
垂直軸に沿って上側端部および下側端部を有する単一の本体を備える絞り器であって、
前記上側端部が、円錐形または円錐台形であり、さらに、細長い部材が前記単一の本体の内側部分を貫通できるような構成の中心孔を画定する第１の内側周縁部を備え、
前記下側端部が、
外向きに延在するリブを複数備え、
各リブが第１の側部および第２の側部を備え、該側部が集束してリブ上部が形成され、前記外向きに延在するリブのリブ側部には貫通孔が無く、リブ上部は貫通孔を複数備え、
前記外向きに延在する複数のリブがさらに、前記垂直軸に垂直な水平面にＸ字形状の断面領域を囲繞する第１の外側周縁部を画定し、
前記下側端部がさらに、
前記絞り器の下側端部の第１の外側周縁部に平行な水平面に沿って正方形様の第２の外側周縁部を画定する第２の外側周縁部を画定する終端部を備え、
前記第２の外側周縁部が、前記上側端部の第１の外側周縁部よりも大きい、絞り器。
【請求項２】
前記下側端部の終端部の正方形様の第２の外側周縁部が、複数の凸形領域および複数の凸形領域を備える、請求項１に記載の絞り器。
【請求項３】
前記下側端部の終端部の正方形様の第２の外側周縁部が、対向する２対の凸形領域と、対向する２対の凹形領域とを備える、請求項２に記載の絞り器。
【請求項４】
前記細長い部材の第１の端部を複数の繊維に取り付ける際に、前記複数の繊維が前記中心孔の垂直反対側の底部を通って後退するときに、前記繊維の上側部分が、少なくとも前記外向きに延在するリブの最も上の排出用出口よりも上方に配置され、前記絞り器に対する第１の圧縮力下で、垂直に、前記垂直軸に平行に位置合わせされるように構成される、請求項１に記載の絞り器。
【請求項５】
前記絞り器の構成が、細長い部材を前記絞り器の内側部分に完全に後退させる際に、前記垂直軸を中心に前記絞り器を回転させると、第１の圧縮力により、前記細長い部材に隣接して配置された前記モップ繊維の上側部分が最初に捻れ、その後、同じモップ繊維のうちの前記絞り器の中間セクションに配置された対応セクションが捻れ、さらに、最も下側の排出用出口に隣接した前記絞り器の下側セクションに配置された対応セクションが捻れるようになっており、
前記絞り器が回転する前に、前記中間部分の繊維が、前記絞り器に形成された凸形領域の内部領域に延在し、その結果、前記中間部分の繊維間の近接距離が、前記絞り器の上側端部の繊維間の近接距離よりも小さくなり、
前記第１の圧縮力を加える際に、前記繊維のうちの前記凸形領域の内部側に隣接する少なくとも一部が、捻れていない状態のままであり、そのため、流体が上側部分から下側部分に流れ、さらに排出用出口の外に出ることが可能になる、請求項４に記載の絞り器。
【請求項６】
前記絞り器の構成がさらに、捻り力を増大すると、第２の圧縮力が生じ、その圧縮力より、前記中間セクションにある前記繊維が捻れ、その結果、前記繊維の捻れが下向きに進行するようになっており、
前記中間セクションにある前記繊維が、前記垂直軸を中心に下向きに進むように前記凸形領域から離れる方に捻れる、請求項５に記載の絞り器。
【請求項７】
複数の内向きに延在するリブをさらに備え、各リブが外向きに延在するリブと共通の側部を共有し、
各内向きリブが第１の側部および第２の側部を備え、該側部が集束してリブ底部が形成され、前記内向きに延在するリブのリブ底部およびリブ側部には貫通孔が無い、請求項１に記載の絞り器。
【請求項８】
外向きに延在する各リブにつき、所与の任意の水平面に排出用出口がせいぜい１つしか設けられない、請求項７に記載の絞り器。
【請求項９】
前記排出用出口が、垂直に、外向きに延在する各リブに沿って平行に配置される、請求項８に記載の絞り器。
【請求項１０】
少なくとも１つの排出用出口は、高さがその長さの約２５〜３０％であり、内向きに延在する隣接したリブ底部の最も内側の位置から少なくとも約１センチメートル離れており、少なくとも１つの排出用出口は、高さがその長さの約３５〜４０％であり、内向きに延在する隣接したリブ底部から少なくとも約２センチメートル離れている、請求項９に記載の絞り器。
【請求項１１】
垂直軸に沿って第１の端部および第２の端部を有する細長い部材と、
前記細長い部材の少なくとも一部分に沿って摺動式に位置決めされるように構成された絞り器と、
前記細長い部材の第２の端部に装着され、複数のモップ繊維を細長い部材に固定するように構成された連結用部品と
を備える掃除用具であって、
前記連結用部品が、上部分および底部分を備え、
前記上部分が、
水平面に沿って第１の外側周縁部を画定する第１の面と、
下向きに延在する垂直壁であって、前記細長い部材に平行かつ前記水平面に垂直に延在し、前記第１の面の第１の外側周縁部に近接する、垂直壁とを備え、
前記底部分が、
前記水平面に沿って第２の外側周縁部を画定する第２の面を備え、
第１の外側周縁部が前記第２の外側周縁部よりも大きく、
前記第１の面と前記第２の面との間にモップ繊維を固定する際に、前記上部分の垂直壁の構成が、前記複数のモップ繊維を前記水平面に沿った径方向から垂直下方向に延在させて、前記垂直軸を中心に回転するように前記繊維をさらに旋回させ、前記絞り器の使用時に前記モップ繊維がそれ自体に捻れるのを低減するようになっている、掃除用具。
【請求項１２】
前記細長い部材の第２の端部に装着されるように構成され、外側部分を有するタブを含むインサートであって、前記外側部分が、前記細長い部材に装着されるときに前記細長い部材から離れかつそれを横切る方向に延在する、インサートと、
前記タブの外側部分に摩擦係合するように構成されたカラーとを
さらに備える、請求項１１に記載の掃除用具。
【請求項１３】
前記絞り器が、上側端部および下側端部を有する単一の本体を備え、
前記上側端部が、
実質的に円形である第１の外側周縁部を有する上部と、前記細長い部材が前記単一の本体の内側部分を貫通できるような構成の中心孔を画定する第１の内側周縁部とを備え、
前記下側端部が、
前記垂直軸に垂直な水平面にＸ字形の断面領域を囲繞する前記下側端部の第１の外側周縁部を画定する、複数の外向きに延在するリブと、
前記絞り器の下側端部の第１の外側周縁部に平行な水平面に沿って正方形様の第２の外側周縁部を画定する第２の外側周縁部を画定する終端部とを備え、
前記第２の外側周縁部が、前記上側端部の第１の外側周縁部よりも大きく、凹形領域および凸形領域を備える、請求項１２に記載の掃除用具。
【請求項１４】
前記下側端部がさらに、複数の内向きに延在するリブと、複数の外向きに延在するリブとを備え、
前記内向きに延在するリブがそれぞれ、第１の側部および第２の側部を備え、該側部が集束してリブ底部が形成され、前記内向きに延在するリブのリブ底部およびリブ側部には貫通孔が無く、
前記外向きに延在するリブがそれぞれ、第１の側部および第２の側部を備え、該側部が集束してリブ上部が形成され、前記外向きに延在するリブのリブ側部には貫通孔が無く、前記リブ上部はそれぞれ複数の貫通孔を備え、
少なくとも１つの内向きに延在するリブが、外向きにリブと共通の側部を共有する、請求項１３に記載の絞り器。
【請求項１５】
前記絞り器の中心孔の構成が、前記細長い部材が前記絞り器の内側部分を通って延在できるようになっており、
前記細長い部材の第１の端部を複数の繊維に取り付ける際に、前記絞り器の構成が、前記複数の繊維が前記中心孔の垂直反対側の底部を通って後退するときに、前記繊維の上側部分が、少なくとも前記外向きに延在するリブの最も上側の排出用出口よりも上方に配置され、前記絞り器に対する第１の圧縮力下で、前記中心孔と前記絞り器の底部の周縁部の中心との間に、垂直に、垂直軸に平行に位置合わせされるようになっている、請求項１４に記載の掃除用具。
【請求項１６】
前記絞り器の構成が、前記細長い部材を前記絞り器の内側部分に完全に後退させる際に、前記中心軸を中心に前記絞り器を回転させると、第１の圧縮力により、前記モップ繊維のうちの前記細長い部材に隣接して配置された部分が最初に捻れ、その後、同じ繊維のうちの前記絞り器の中間セクションに配置された対応セクションが捻れ、さらに、最も下側の排出用出口に隣接した前記絞り器の下側セクションに配置された対応セクションが捻れるようになっており、
前記中間部分の繊維が、前記絞り器に形成された前記凸形領域の内部領域に延在し、その結果、前記中間部分の繊維間の近接距離が、前記絞り器の上側端部の繊維間の近接距離よりも小さくなり、
前記第１の圧縮力を加えた際に、前記繊維のうちの前記凸形領域の内部側に隣接する少なくとも一部が、捻れていない状態のままであり、そのため、流体が上側部分から下側部分に流れ、さらに排出用出口の外に出ることが可能になる、請求項１５に記載の掃除用具。
【請求項１７】
前記複数の外側リブが、前記絞り器の上側端部の第１の外側周縁部に平行な水平面に沿って正方形様の形状を画定し、
前記正方形様の形状が、前記上側端部の第１の外側周縁部よりも大きい周縁部を有する、請求項１４に記載の掃除用具。
【請求項１８】
前記上側端部が、実質的に円錐台形であり、排出用出口が無く、前記下側端部が、円錐形であるが、円筒形ではなく、前記下側端部がさらに、
隣接する凸形領域間に位置決めされた少なくとも対向する２つの凹形領域を画定する複数の凸形領域と、
各凹形領域に配置された排出用出口であって、前記凸形領域のうちの前記凹形領域の最も内側の部分から最も離れた領域によって画定される頂点の位置にのみ配置される排出用出口とを備える、請求項１３に記載の掃除用具。
【請求項１９】
各凸形領域につき、所与の任意の水平面に排出用出口がせいぜい１つしか設けられない、請求項１８に記載の掃除用具。
【請求項２０】
上側端部および下側端部を有する単一の本体を備える絞り器であって、
前記上側端部が、
第１の外側周縁部と、細長い部材が前記単一の本体の内側部分を貫通できるような構成の中心孔を画定する第１の内側周縁部とを備え、
前記第１の外側周縁部が、前記細長い部材に実質的に直交する平面内にあり、
前記下側端部が、
複数の平行に延在するリブであって、各リブが第１の側部と第２の側部を備え、該第１の側部と第２の側部が集束してリブ上部が形成され、前記リブ上部が貫通孔を複数備える、リブと、
第２の外側周縁部および第３の外側周縁部と
を備え、
前記第２の外側周縁部が、前記第１の外側周縁部と前記第３の外側周縁部との間を延在し、前記第２の外側周縁部および前記第３の外側周縁部が両方とも、前記細長い部材に直交し、
前記第１の外側周縁部、前記第２の外側周縁部、前記第３の外側周縁部がそれぞれ、異なる形状を有し、
前記第２の外側周縁部が前記第１の外側周縁部よりも大きく、前記第３の外側周縁部が前記第２の外側周縁部よりも大きい、絞り器。
【発明の詳細な説明】
【技術分野】
【０００１】
本発明は、掃除用具に関する。
【背景技術】
【０００３】
[02]市場で商業的に成功したモップのタイプの一つは、米国特許第５，０６０，３３８号に開示されているような絞りカップが取り付けられたモップである。他の例は、米国特許第１，７０９，６２２号、第３，３６４，５１２号、第３，９４６，４５７号、および第４，８０９，２８７号、ならびに独国公開特許出願第ＤＥ３６０７１２１Ａｌ号に見つけることができる。
【先行技術文献】
【特許文献】
【０００４】
【特許文献１】米国特許第５，０６０，３３８号
【特許文献２】米国特許第１，７０９，６２２号
【特許文献３】米国特許第３，３６４，５１２号
【特許文献４】米国特許第３，９４６，４５７号
【特許文献５】米国特許第４，８０９，２８７号
【特許文献６】独国公開特許出願第ＤＥ３６０７１２１Ａｌ号
【特許文献７】米国意匠特許出願第２９／３８３，１７７号
【特許文献８】米国特許出願第１２／４０１，３３６号
【特許文献９】米国特許第７，５２０，０１８号
【特許文献１０】米国特許第６，９２０，６６４号
【特許文献１１】米国特許第Ｄ４７４，８６９号
【発明の概要】
【発明が解決しようとする課題】
【０００５】
[03]この種のモップに使用される絞りカップは、内側に溝またはリブを有することが多い。円錐形の絞りカップがモップ繊維上を押し下げられると、リブはモップ繊維から水を押し出すのを助ける。しかし、書面は必ずしも完全に有効であるとは限らない。モップ繊維から押し出された水の一部が、場合によっては、絞りカップの外に完全に排出される前に繊維に戻る恐れがある。ある現行の絞り器および／または連結用部品により、流体をなお保持している他の領域よりも下の位置でモップ繊維がからまったり捻れたりする恐れがあり、それにより、流体の適切な排出が妨げられる。他のシステムでも、適切な排出特徴を可能にするように繊維を適切に配向することができない。
【０００６】
[04]したがって、上記で言及した１つまたは複数の制限を含む従来のデバイスおよびプロセスを改善する、改良型のシステムおよび方法が必要である。
【課題を解決するための手段】
【０００７】
[05]以下に、本発明の基本的な理解およびその様々な特性を提示するために本発明の態様の全体的な概要を示す。この発明の概要は、決して本発明の範囲を限定するものではなく、単に以下のより詳細な説明に関する全体的な要旨および文脈を提示している。
【０００８】
[06]この開示の態様は革新的な絞りカップに関する。ある実施形態では、絞りカップはその中に穴を有し、その穴により、再吸収の防止を助けるようにより急速かつ効率的に水を絞りカップの外に排出できる。ある実施形態では、絞りカップは内部に向いたリブを含み、それらのリブは、モップ繊維からの水の排出を強化する貫通孔を含む。
【０００９】
[07]一実施形態では、絞りカップは、上側端部および下側端部を有する単一の本体を備えることができる。上側端部は終端部を有することができ、その終端部は、実質的に円形の第１の外側周縁部と、細長い部材が単一の本体の内側部分を貫通できるような構成の中心孔を画定する第１の内側周縁部とを有する。特定の実施形態では、下側端部は、第２の外側周縁部を有する終端部を有することができる。いくつかの実施形態では、第２の外側周縁部は、円形でなくても楕円でなくてもよい。第２の外側周縁部は、第１の外側周縁部よりも長くてもよい。
【００１０】
[08]単一の本体は、下側端部などに、内向きに延在するリブを含むことができる。リブはそれぞれ、第１の側部および第２の側部を有することができ、それらの側部が集束してリブ底部が形成される。内向きに延在するリブには貫通孔が無くてよい。単一の本体は、例えば下側端部に配置された、外向きに延在するリブを有することもできる。外向きに延在するリブは、第１の側部および第２の側部を含むことができ、それらの側部が集束してリブ上部が形成される。特定の実施形態では、外向きに延在するリブのリブ側部には、貫通孔が無くてよい。いくつかの実施形態では、リブ上部は貫通孔を複数備える。
【００１１】
[09]複数の外側リブは、絞り器の上側端部の第１の外側周縁部に平行な水平面に沿って、正方形様の形状を画定することができる。他の実施形態では、絞り器の上側端部は、実質的に円錐−円筒形でよく、排出用出口が無く、下側端部は円錐形であるが円筒形でない。下側端部はさらに、凸形領域を含むことができ、それらの凸形領域は、隣接した凸形領域の間に位置決めされた少なくとも対向する２つの凹形領域を画定する。下側端部はさらに、各凹形領域に配置された排出用出口を有することができる。排出用出口を、凸形領域のうちの凹形領域の最も内側の部分から最も離れた頂点の位置に配置することができる。特定の実施形態では、各凸形領域の所与の任意の水平面に排出用出口がせいぜい１つしか設けられない。
【００１２】
[10]排出用出口を、垂直に、凸形領域の垂直軸（すなわち、高さ）に沿って平行に配置することができる。一実施形態では、少なくとも１つの排出用出口の高さは、その長さの約２５〜３０％である。排出用出口を、隣接した凹形領域の最も内側の位置から少なくとも約１センチメートル離すことができる。別の排出用出口の高さは、その長さの約３５〜４０％でよく、隣接した凹形領域の最も内側の位置から少なくとも約２センチメートル離れている。
【００１３】
[11]絞り器の構成は、複数の繊維を絞り器の内側部分に完全に後退させるときに、繊維の上側部分を、少なくとも外向きに延在するリブの最も上側の排出用出口の上方に配置し、垂直に、中心孔によって画定される垂直軸に平行に位置合わせするようになっていてよい。第１の圧縮力により、細長いハンドルに近接して配置されたモップ繊維を最初に捻ることができ、その後、同じ繊維のうちの絞り器の中間セクションに配置された対応セクションが捻れ、最も下側の排出用出口に近接した絞り器の下側セクションに配置された対応セクションが捻れる。中間部分の繊維は、凸形領域の内部領域に延在したままであり、それにより、中間部分の繊維間の近接距離を絞り器の上側端部の繊維間の近接距離よりも短くすることができる。第１の力を加える際に、繊維のうちの凸形領域の内部側に近接する少なくとも一部が、捻れていない状態のままであり、そのため、流体が上側部分から下側部分に流れ、さらに排出用出口の外に出ることが可能になる。
【００１４】
[12]捻り力を大きくすると、第２の圧縮力を生じ、それにより、中間セクションの繊維を最初に捻り、それにより、繊維の捻れが下向きに進行することができる。例えば、中間セクションの繊維は、中心軸を中心に下向きに進むように凸形領域から離れる方に捻れる。
【００１５】
[13]さらなる態様が、第１の端部および第２の端部を有する細長い部材を備える掃除用具に関する。その掃除用具は、絞り器を含むことができ、その絞り器の構成は、細長い部材の少なくとも一部分に沿って摺動式に位置決めされるようになっている。連結用部品の構成は、細長い部材の第２の端部に装着され、複数のモップ繊維を固定するようになっていてよい。その連結用部品は上部分を含むことができ、その上部分は、水平面に沿って第１の外側周縁部を画定する第１の面と、細長い部材に平行に延在する、下向きに延在する垂直壁とを有し、その壁は、第１の平面の外側周縁部に近接している。連結用部品はさらに、底部分を含むことができる。その底部分は、第２の外側周縁部を水平面に沿って画定する、第２の外側周縁部よりも大きい第２の平面を有することができる。特定の実施形態では、第１の平面と第２の平面と間にモップ繊維を固定する際に、上部分の垂直壁の構成は、複数のモップ繊維を前記水平面に沿った径方向から垂直下方向に延在させるようになっている。
【００１６】
[14]さらなる態様は、モップ繊維のための連結部品に関する。ある実施形態では、連結部品の構成は、モップ繊維をモップの細長い部材に簡単に組み付け可能になっていてよい。
【００１７】
[15]添付の図面を考慮して以下の詳細な説明を参照することにより、本発明およびその利点をより完全に理解することができる。なお、本発明は、以下の態様に関し得る。
（態様１）垂直軸に沿って上側端部および下側端部を有する単一の本体を備える絞り器であって、前記上側端部が、円錐形または円錐台形であり、さらに、細長い部材が前記単一の本体の内側部分を貫通できるような構成の中心孔を画定する第１の内側周縁部を備え、前記下側端部が、外向きに延在するリブを複数備え、各リブが第１の側部および第２の側部を備え、該側部が集束してリブ上部が形成され、前記外向きに延在するリブのリブ側部には貫通孔が無く、リブ上部は貫通孔を複数備え、前記外向きに延在する複数のリブがさらに、前記垂直軸に垂直な水平面にＸ字形状の断面領域を囲繞する第１の外側周縁部を画定し、前記下側端部がさらに、前記絞り器の下側端部の第１の外側周縁部に平行な水平面に沿って正方形様の第２の外側周縁部を画定する第２の外側周縁部を画定する終端部を備え、前記第２の外側周縁部が、前記上側端部の第１の外側周縁部よりも大きい、絞り器。
（態様２）前記下側端部の終端部の正方形様の第２の外側周縁部が、複数の凸形領域および複数の凸形領域を備える、態様１の絞り器。
（態様３）前記下側端部の終端部の正方形様の第２の外側周縁部が、対向する２対の凸形領域と、対向する２対の凹形領域とを備える、態様２の絞り器。
（態様４）前記細長い部材の第１の端部を複数の繊維に取り付ける際に、前記複数の繊維が前記中心孔の垂直反対側の底部を通って後退するときに、前記繊維の上側部分が、少なくとも前記外向きに延在するリブの最も上の排出用出口よりも上方に配置され、前記絞り器に対する第１の圧縮力下で、垂直に、前記垂直軸に平行に位置合わせされるように構成される、態様１の絞り器。
（態様５）前記絞り器の構成が、細長い部材を前記絞り器の内側部分に完全に後退させる際に、前記垂直軸を中心に前記絞り器を回転させると、第１の圧縮力により、前記細長い部材に隣接して配置された前記モップ繊維の上側部分が最初に捻れ、その後、同じモップ繊維のうちの前記絞り器の中間セクションに配置された対応セクションが捻れ、さらに、最も下側の排出用出口に隣接した前記絞り器の下側セクションに配置された対応セクションが捻れるようになっており、前記絞り器が回転する前に、前記中間部分の繊維が、前記絞り器に形成された凸形領域の内部領域に延在し、その結果、前記中間部分の繊維間の近接距離が、前記絞り器の上側端部の繊維間の近接距離よりも小さくなり、前記第１の圧縮力を加える際に、前記繊維のうちの前記凸形領域の内部側に隣接する少なくとも一部が、捻れていない状態のままであり、そのため、流体が上側部分から下側部分に流れ、さらに排出用出口の外に出ることが可能になる、態様４の絞り器。
（態様６）前記絞り器の構成がさらに、捻り力を増大すると、第２の圧縮力が生じ、その圧縮力より、前記中間セクションにある前記繊維が捻れ、その結果、前記繊維の捻れが下向きに進行するようになっており、前記中間セクションにある前記繊維が、前記垂直軸を中心に下向きに進むように前記凸形領域から離れる方に捻れる、態様５の絞り器。
（態様７）複数の内向きに延在するリブをさらに備え、各リブが外向きに延在するリブと共通の側部を共有し、各内向きリブが第１の側部および第２の側部を備え、該側部が集束してリブ底部が形成され、前記内向きに延在するリブのリブ底部およびリブ側部には貫通孔が無い、態様１の絞り器。
（態様８）外向きに延在する各リブにつき、所与の任意の水平面に排出用出口がせいぜい１つしか設けられない、態様７の絞り器。
（態様９）前記排出用出口が、垂直に、外向きに延在する各リブに沿って平行に配置される、態様８の絞り器。
（態様１０）少なくとも１つの排出用出口は、高さがその長さの約２５〜３０％であり、内向きに延在する隣接したリブ底部の最も内側の位置から少なくとも約１センチメートル離れており、少なくとも１つの排出用出口は、高さがその長さの約３５〜４０％であり、内向きに延在する隣接したリブ底部から少なくとも約２センチメートル離れている、態様９の絞り器。
（態様１１）垂直軸に沿って第１の端部および第２の端部を有する細長い部材と、前記細長い部材の少なくとも一部分に沿って摺動式に位置決めされるように構成された絞り器と、前記細長い部材の第２の端部に装着され、複数のモップ繊維を細長い部材に固定するように構成された連結用部品とを備える掃除用具であって、前記連結用部品が、上部分および底部分を備え、前記上部分が、水平面に沿って第１の外側周縁部を画定する第１の面と、下向きに延在する垂直壁であって、前記細長い部材に平行かつ前記水平面に垂直に延在し、前記第１の面の第１の外側周縁部に近接する、垂直壁とを備え、前記底部分が、前記水平面に沿って第２の外側周縁部を画定する第２の面を備え、第１の外側周縁部が前記第２の外側周縁部よりも大きく、前記第１の面と前記第２の面との間にモップ繊維を固定する際に、前記上部分の垂直壁の構成が、前記複数のモップ繊維を前記水平面に沿った径方向から垂直下方向に延在させて、前記垂直軸を中心に回転するように前記繊維をさらに旋回させ、前記絞り器の使用時に前記モップ繊維がそれ自体に捻れるのを低減するようになっている、掃除用具。
（態様１２）前記細長い部材の第２の端部に装着されるように構成され、外側部分を有するタブを含むインサートであって、前記外側部分が、前記細長い部材に装着されるときに前記細長い部材から離れかつそれを横切る方向に延在する、インサートと、前記タブの外側部分に摩擦係合するように構成されたカラーとをさらに備える、態様１１の掃除用具。
（態様１３）前記絞り器が、上側端部および下側端部を有する単一の本体を備え、
前記上側端部が、実質的に円形である第１の外側周縁部を有する上部と、前記細長い部材が前記単一の本体の内側部分を貫通できるような構成の中心孔を画定する第１の内側周縁部とを備え、前記下側端部が、前記垂直軸に垂直な水平面にＸ字形の断面領域を囲繞する前記下側端部の第１の外側周縁部を画定する、複数の外向きに延在するリブと、前記絞り器の下側端部の第１の外側周縁部に平行な水平面に沿って正方形様の第２の外側周縁部を画定する第２の外側周縁部を画定する終端部とを備え、前記第２の外側周縁部が、前記上側端部の第１の外側周縁部よりも大きく、凹形領域および凸形領域を備える、態様１２の掃除用具。
（態様１４）前記下側端部がさらに、複数の内向きに延在するリブと、複数の外向きに延在するリブとを備え、前記内向きに延在するリブがそれぞれ、第１の側部および第２の側部を備え、該側部が集束してリブ底部が形成され、前記内向きに延在するリブのリブ底部およびリブ側部には貫通孔が無く、前記外向きに延在するリブがそれぞれ、第１の側部および第２の側部を備え、該側部が集束してリブ上部が形成され、前記外向きに延在するリブのリブ側部には貫通孔が無く、前記リブ上部はそれぞれ複数の貫通孔を備え、少なくとも１つの内向きに延在するリブが、外向きにリブと共通の側部を共有する、態様１３の絞り器。
（態様１５）前記絞り器の中心孔の構成が、前記細長い部材が前記絞り器の内側部分を通って延在できるようになっており、前記細長い部材の第１の端部を複数の繊維に取り付ける際に、前記絞り器の構成が、前記複数の繊維が前記中心孔の垂直反対側の底部を通って後退するときに、前記繊維の上側部分が、少なくとも前記外向きに延在するリブの最も上側の排出用出口よりも上方に配置され、前記絞り器に対する第１の圧縮力下で、前記中心孔と前記絞り器の底部の周縁部の中心との間に、垂直に、垂直軸に平行に位置合わせされるようになっている、態様１４の掃除用具。
（態様１６）前記絞り器の構成が、前記細長い部材を前記絞り器の内側部分に完全に後退させる際に、前記中心軸を中心に前記絞り器を回転させると、第１の圧縮力により、前記モップ繊維のうちの前記細長い部材に隣接して配置された部分が最初に捻れ、その後、同じ繊維のうちの前記絞り器の中間セクションに配置された対応セクションが捻れ、さらに、最も下側の排出用出口に隣接した前記絞り器の下側セクションに配置された対応セクションが捻れるようになっており、前記中間部分の繊維が、前記絞り器に形成された前記凸形領域の内部領域に延在し、その結果、前記中間部分の繊維間の近接距離が、前記絞り器の上側端部の繊維間の近接距離よりも小さくなり、前記第１の圧縮力を加えた際に、前記繊維のうちの前記凸形領域の内部側に隣接する少なくとも一部が、捻れていない状態のままであり、そのため、流体が上側部分から下側部分に流れ、さらに排出用出口の外に出ることが可能になる、態様１５の掃除用具。
（態様１７）前記複数の外側リブが、前記絞り器の上側端部の第１の外側周縁部に平行な水平面に沿って正方形様の形状を画定し、前記正方形様の形状が、前記上側端部の第１の外側周縁部よりも大きい周縁部を有する、態様１４の掃除用具。
（態様１８）前記上側端部が、実質的に円錐台形であり、排出用出口が無く、前記下側端部が、円錐形であるが、円筒形ではなく、前記下側端部がさらに、隣接する凸形領域間に位置決めされた少なくとも対向する２つの凹形領域を画定する複数の凸形領域と、各凹形領域に配置された排出用出口であって、前記凸形領域のうちの前記凹形領域の最も内側の部分から最も離れた領域によって画定される頂点の位置にのみ配置される排出用出口とを備える、態様１３の掃除用具。
（態様１９）各凸形領域につき、所与の任意の水平面に排出用出口がせいぜい１つしか設けられない、態様１８の掃除用具。
（態様２０）上側端部および下側端部を有する単一の本体を備える絞り器であって、前記上側端部が、第１の外側周縁部と、細長い部材が前記単一の本体の内側部分を貫通できるような構成の中心孔を画定する第１の内側周縁部とを備え、前記第１の外側周縁部が、前記細長い部材に実質的に直交する平面内にあり、前記下側端部が、複数の平行に延在するリブと、第２の外側周縁部および第３の外側周縁部とを備え、前記第２の外側周縁部が、前記第１の外側周縁部と前記第３の外側周縁部との間を延在し、前記第２の外側周縁部および前記第３の外側周縁部が両方とも、前記細長い部材に直交し、前記第１の外側周縁部、前記第２の外側周縁部、前記第３の外側周縁部がそれぞれ、異なる形状を有し、前記第２の外側周縁部が前記第１の外側周縁部よりも大きく、前記第３の外側周縁部が前記第２の外側周縁部よりも大きい、絞り器。
（態様２１）各リブが第１の側部および第２の側部を備え、該側部が収束してリブ上部が形成され、前記リブ上部が貫通孔を複数備える、態様２０の絞り器。
【図面の簡単な説明】
【００１８】
【図１】[16]本発明の一実施形態による絞り器付きモップの斜視図である。
【図２】[17]図１に示す取っ手の拡大立面図である。
【図３】[18]図１に示す絞りカップの拡大立面図である。
【図４】[19]図３に示す絞りカップを回転させた側面図である。
【図５】[20]絞りカップの第２の実施形態の拡大立面図である。
【図６】[21]図５に示す絞りカップを回転させた側面図である。
【図７】[22]本発明の一実施形態による連結部品の一実施形態の分解側面図である。
【図８】[23]図７に示す連結部品の組立断面図である。
【図９】[24]図７の線９−９に沿った断面図である。
【図１０】[25]図７の線１０−１０に沿った断面図である。
【図１１】[26]図７の線１１−１１に沿った断面図である。
【図１２】[27]図８の線１２−１２に沿った断面図である。
【図１３】[28]絞りカップの第３の実施形態の拡大立面図である。
【図１４Ａ】[29]一実施形態による連結用部品の例示の上部分を示す。具体的には、図１４Ａに、ある可能な連結用部品の例示的な上部分の上面図を示し、図１４Ｂに、例示の上部分の断面斜視図を示す。
【図１４Ｂ】一実施形態による連結用部品の例示の上部分を示す。具体的には、図１４Ａに、ある可能な連結用部品の例示的な上部分の上面図を示し、図１４Ｂに、例示の上部分の断面斜視図を示す。
【図１５】[30]一実施形態による連結用部品の例示的な底部分を示す。
【図１６Ａ】[31]一実施形態による例示の絞り器を示す。具体的には、図１６Ａに例示の絞り器の斜視図を示し、図１６Ｂに側面図を示し、図１６Ｃに底面図を示し、図１６Ｄに上面図を示す。
【図１６Ｂ】一実施形態による例示の絞り器を示す。具体的には、図１６Ａに例示の絞り器の斜視図を示し、図１６Ｂに側面図を示し、図１６Ｃに底面図を示し、図１６Ｄに上面図を示す。
【図１６Ｃ】一実施形態による例示の絞り器を示す。具体的には、図１６Ａに例示の絞り器の斜視図を示し、図１６Ｂに側面図を示し、図１６Ｃに底面図を示し、図１６Ｄに上面図を示す。
【図１６Ｄ】一実施形態による例示の絞り器を示す。具体的には、図１６Ａに例示の絞り器の斜視図を示し、図１６Ｂに側面図を示し、図１６Ｃに底面図を示し、図１６Ｄに上面図を示す。
【図１７】[32]一実施形態による例示の絞り器の側面図を示す。
【発明を実施するための形態】
【００１９】
[33]本発明による様々な例の構造の以下の説明では、添付の図面を参照する。その図面は、本明細書の一部を成し、本発明による様々な例の掃除用具、絞り器、および連結用部品を例示によって示している。さらに、本発明の範囲から逸脱することなく、他の特定の構成の部品および構造を利用でき、構造および機能上の改変を実行できることを理解されたい。さらに、本発明の様々な例の特性および要素を説明するために用語「ｔｏｐ」、「ｂｏｔｔｏｍ」、「ｆｒｏｎｔ」、「ｂａｃｋ」、「ｒｅａｒ」、「ｒｉｇｈｔ」、「ｌｅｆｔ」などをこの明細書で用いることがあるが、本明細書では、これらの用語は、例えば、図に示す一例の配向および／または典型的使用の配向に基づいて便宜的に用いられる。
【００２０】
[34]図１〜図４に、この開示の一実施形態による例示のモップ１０の一実施形態を示す。例示のモップは、細長い部材１２と、細長い部材１２の端部１６にある１組のモップ要素１４と、絞りカップ１８とを含むことができる。モップ要素１４を細長い部材１２の端部１６にしっかり留めるために、連結部品５０が設けられる。
【００２１】
[35]従来より知られているように、こうしたモップ用の細長い部材を軽量の金属製チューブにすることができるが、木材および／またはプラスチックを含む任意の剛性の構造を用いることができる。例示の細長い部材は、以下で論じる任意選択の取っ手２０を含む。
【００２２】
[36]例示のモップ要素１４は平坦なストリップの形態をとる。従来より知られているように、こうしたストリップを（例えば）吸水性で不織繊維材料から作製することができ、その材料は長さ約４５．７２ｃｍまたは４８．２６ｃｍ（１８または１９インチ）、圧縮していない状態で厚さ約０．３８１ｃｍ（０．１５インチ）である。他の材料を用いることもできる。
【００２３】
[37]図３および図４から分かるように、例示の絞りカップ１８は、細長い部材１２のうちのモップ要素１４の上方に配設することができ、外壁２３を有することができる。その外壁２３は、下側端部２５に向かって外向きにテーパ状になっている。絞りカップの厳密な形状および構成は、本発明の様々な実施形態には重要でないことがあるが、本明細書で開示する他の実施形態には重要である。従来より知られているように、こうしたモップに使用される絞りカップは、好ましくは、部材１２などの細長い部材に摺動式に装着され、管状のシェルの形態をとることができる。その管状のシェルは、ポリプロピレンなどの高分子材料から一体成型することができる。やはり従来より知られているように、こうした絞りカップはリブ２７を含むことができ、それらのリブ２７は、絞っている間に液体をモップ繊維から押し出すのを助ける。
【００２４】
[38]図２に示す任意選択の取っ手２０は、モップ要素１４の上方で細長い部材１２に装着される。取っ手の構成は、モップが使用されているときにモップ要素の繊維の上方に絞りカップ１８を保持するようになっている。こうした配置を図１に示し、その図では、絞りカップの上側部分２９（図３から分かる）が取っ手の下部３１に嵌合している。
【００２５】
[39]モップ要素１４は、集合的にモップヘッドと称されることもあり、モップ１０がこぼれたものを捕捉できるように吸収性が高い傾向がある。しかし、この吸収性は、モップ要素１４から水を除去するときにモップ要素１４近傍の水が再吸収される傾向があることを意味する。絞りカップ１８の貫通孔３５は、再吸収を低減するように、モップ要素１４から押し出された水を離れる方に移送可能にすることを助ける。しかし、以下で論じるように、様々な実施形態が、様々なサイズの貫通孔３５を有する。さらなる実施形態は、流体のための貫通孔３５および／または他の出口の位置および寸法を対象とする。
【００２６】
[40]絞りカップ１８の貫通孔３５、３８について、モップ１０の実施形態を、以前から知られた絞りカップを有するモップとは異なるものとすることができる。図１、図３、図５、および図１３からよく分かるように、例示の貫通孔は、絞りカップの下側端部２５の近くに配設される。図１および図３から分かるように、例示の貫通孔の幅は、好ましくは、細長い部材１２の直径のせいぜい約３分の１に過ぎず、細長い部材の端部にモップ要素１４を形成する平坦なストリップの幅より小さい。
【００２７】
[41]貫通孔３５は役立つが、特定の実施形態では水を除去するための追加の通路が有用なことがある。図１、図３、および図５から分かるように、リブ２７は、例えば直線に並んだ、複数の貫通孔３８を含むことができる。しかし、それらの貫通孔３８は、好ましくは、水の除去を実行する際のリブ２７によるモップ要素１４の圧縮を妨害しないように、リブ２７の中心２７ｂではなく側部２７ａに配置される。図３、図５、および図１３から明らかなように、絞りカップ１８は第１の端部１８ａおよび第２の端部１８ｂを含む。理解できるように、貫通孔３５、３８のサイズは、実質的に一様でもよく、絞りカップ１８の第２の端部１８ｂに向かって進むにつれて小さいサイズから大きいサイズに大きくなってもよい。これは、絞りカップ１８の第１の端部１８ａよりも第２の端部１８ｂの近くでより多くの水を押し出し可能にするのに有用である。他の実施形態では、小さい貫通孔と大きい貫通孔を交互にするなど、貫通孔の様々な構成およびサイズのパターンを使用することができる。
【００２８】
[42]図６に、図５に示す絞りカップの側面図を示す。角度のせいでリブ２７の貫通孔３８が見えないことに留意されたい。ある実施形態では、リブ２７のうち１つまたは２つが、貫通孔３８を含むことができる。別の実施形態では、全てのリブが、リブ２７の側部の一方または両方に貫通孔を含み、それらの貫通孔はリブ間で整列する。
【００２９】
[43]図７〜図１２に移ると、連結部品５０の一実施形態の特性が例示されている。図７を見ると、連結部品５０はカラー６０を含み、そのカラー６０の構成は、インサート７０を覆って組み付けられるようになっている。インサート７０は管状の端部７１を含み、その管状の端部７１は細長い部材１２内に位置決めされる。インサート７０はさらに、インサート７０の側壁７３にタブ７２を複数含む。インサート７０は内側部材８０を支持し、複数のタブ７２は内側部材８０の複数の凹所８２に係合する。さらに、内側部材８０の構成は、外側部材９０に係合してモップ要素１４を適位置に保持するようになっている。ある実施形態では、外側部材９０は、内側部材８０に挿入され、キャッチ９１によって適位置に保持される。
【００３０】
[44]図９〜図１１にインサート７０の様々な図を示す。これらの図から理解できるように、複数のタブ７２は外側部分７４および内側部分７６を含む。内側部分７６の構成は、内側部材８０の凹所８２に係合するようになっている。外側部分７４はそれぞれ、カラー６０がインサート７０に摺動式に組み付けられて内側部材８０に対してタブ７２を確実に係合するときに、カラー６０のため摩擦点を設けるのに適したサイズおよび形状のものである。
【００３１】
[45]図８に、組み付けられた配置にあるコネクタ５０の一実施形態の構成要素を示す。図示のように、外側部材９０は内側部材８０に挿入され、それらの部材８０および９０は一緒にモップ要素１４を支持する。内側部材８０はインサート７０によって適位置に保持され、カラー６０はインサート７０の周りに位置決めされる。図示のように、カラー６０は面取り壁６２を含み、その面取り壁６２によって広がった縁部６４が面取り端部６６につながっている。面取り壁６２の内面は、概して断面が円形であり、そのため、カラーは本質的にどの回転配向にもインサート７０上を摺動可能である。面取り端部６６は、必要でないが、（図示のような）組み付けられた配置により簡単にカラーを設置するのを助ける。
【００３２】
[46]絞りカップ１８がモップ要素１４上に引き下げられると、水の一部がモップ要素１４から外に押しやられる。より多くの水を押し出すために、絞りカップ１８を回転させることができる。しかし、理解できるように、絞りカップ１８を回転させることは、モップ要素１４がモップの細長い部材１２に対して固着した配置に保持される場合に、より効果的である。モップ要素１４はインサート７０によって細長い部材１２に固着されている。インサート７０が組み付けられると、管状の端部７１と細長い部材１２との間の摩擦力が、インサート７０の移動を防止するのを助ける。
【００３３】
[47]上記に記載したように、さらに、内側部材８０および外側部材９０がインサート７０に装着されている。図１２を見ると、タブ７２は、捻り力に抵抗するように内側部材および外側部材を適位置に保持するのを助け、内側部材８０および外側部材９０の構成は、回転を防止するようにインサート７０と接続する４面構成になっている。
【００３４】
[48]４面構成は有用であるが、こうした対応する構成になるようにカラー６０を構成することにより、コネクタ５０の組立てが複雑になる。したがって、カラー６０をその回転配向を気にせずに組み付けできることが有用である。こうした機能をもたらすために、ある実施形態では、タブ７２が、外向きに延在する外側部分７４を含む。ある実施形態では、図１２に示すように、４つのタブ７２の外側部分７４は、カラー６０を適切に摩擦係合させる円形様の輪郭である。
【００３５】
[49]連結用部品の上記の例の一部は、様々な実施形態による例示の上部分（例えば、内側部材８０）および底部分（例えば、外側部材９０）を示す。上記で論じたように、連結用部品の構成は、それらの間に繊維を複数保持するものとすることができる。図１４に、本開示の一実施形態による上部分（上部分１４０２）の別の例示の例を示す。具体的には、図１４Ａに例示的な上部分１４０２の上面図を示し、図１４Ｂに上部分１４０２の断面斜視図を示す。まず図１４Ａを見ると、上部分１４０２は、構造体１４０４などの構造体を１つまたは複数備えることができ、その構造体１４０４の構成は、図１〜図４に示す細長い部材１２などの細長い部材に取り付けられるようになっている。細長い部材１２への上部分１４０２の連結は、直接的でも間接的でもよく、かつ／または上部分１４０２と細長い部材１２との間に位置決めされた構造上の構成要素を１つまたは複数含んでもよい。
【００３６】
[50]上部分１４０２はさらに第１の面１４０６を備え、その第１の面１４０６は中心から径方向に延在した状態が示されている。図１４Ａおよび図１４Ｂに示すように、第１の面１４０６は、一様に中心から径方向に延在して円形断面領域を形成する。第１の面１４０６はさらに、水平面に第１の外側周縁部１４０８を画定することができる。例示の外側周縁部１４０８は円形なので、周縁部１４０８内の領域の直径を周縁部１４０８の直径によって決定することができる。一実施形態では、外側周縁部１４０８の直径は約４センチメートルでよい。しかし、他の寸法は本開示の範囲外ではない。
【００３７】
[51]周縁部１４０８を水平面に沿って示しているが、構造体の面１４０６は水平面に対して平面である必要は無い。例えば、図１４Ｂからよく分かるように、面１４０６は、例えば下向きにｙ軸に沿って湾曲することによって、垂直方向に沿って延びることができる。図１４Ｂにさらに示すように、上部分１４０２は、第１の面１４０６の外側周縁部１４０８に近接した、壁１４１０など、下向きに延在する垂直壁を含むことができる。例示の実施形態では、垂直下向きに延在する壁１４１０は面１４０６の延長部であってよい。特定の実施形態では、構造体１４０６に下向きの湾曲部が壁１４１０と共に存在することにより、壁１４１０が構造体１４０６に湾曲部無しで使用される場合よりも多くの量の繊維を上部分１４０２と底部分（例えば、図１５の１５０２参照）との間に固定可能にすることができる。
【００３８】
[52]特定の実施形態では、壁１４１０は、垂直面に平行かつ水平面に垂直になるように実質的に垂直な壁でよい。したがって、垂直壁は水平軸から約９０度でよい。こうした実施形態では、外側周縁部１４０８は上部分１４０２の最も外側の周縁部でよい。一実施形態では、壁１４１０は、垂直軸に沿って長さが約２センチメートルでよい。さらに他の実施形態では、垂直壁１４１０は垂直軸から約１度から約１０度でよい。さらに他の実施形態では、壁１４１０は垂直軸から４５度未満でよく、面１４０６は水平軸から約１度から約４４度湾曲することができる。
【００３９】
[53]壁１４１０を堅牢で一様の構造として示しているが、本開示の利益のある当業者なら壁１４１０がそうである必要はないことを理解するであろう。例えば、壁１４１０の下側縁部１４１２は、ぎざぎざであり、湾曲し、でこぼこであり、または、それらを組み合わせたものとすることができる。特定の実施形態では、周縁部１４０８の一部分は、垂直壁１４１０の対応する部分を欠いていてもよい。
【００４０】
[54]上部分１４０２はさらに、図１５の１５０２などの底部分と組み合わせて使用したときに、複数の繊維に力を加えかつ／または貫入するスパイク１４１４または他の構造を含むことができる。これは以下で論じる。例えば、上部分１４０２と底部分との間に繊維を固定するのを助けるように、スパイク１４１４を形成および／またはサイズ設定することができる。
【００４１】
[55]図１５に、上部分１４０２と共に使用できる例示的な底部分１５０２を示す。底部分１５０２は、上向きに延在する中心突起物１５０３を備えることができ、その突起物１５０３の構成は、上部分１４０２に受容されるようになっている。図１５に示すように、突起物１５０３は、底部分１５０２を上部分１４０２に固定する保持構造１５０４などの保持構造を１つまたは複数含むことができる。底部分１５０２は、複数の繊維に力を加えかつ／または貫入する構造１５０６などの構造（例えば、構造１５０６参照）を１つまたは複数備えることもできる。モップ繊維のうちの上部分１４０２と底部分１５０２との間に固定された部分を、水平面に対する回転移動をしないように実質的に制限することができる。
【００４２】
[56]一実施形態では、底部分１５０２は、面１５０８などの第１の面を備えることができる。一実施形態では、面１５０８は、底部分１５０２が上部分１４０２に固定されているときに、水平面に実質的に平面になるように位置決めされる。面１５０８は、外側周縁部１４０８など、上部分１４０２の最も外側の周縁部よりも短い外側周縁部を画定する。特定の実施形態では、面１５０８は実質的に円形でよい。一実施形態では、面１５０８の両端にわたる断面距離（すなわち直径）は、約１．５センチメートルでよい（要素１５１０参照）。特定の実施形態では、底部分１５０２の面１５０８の断面距離（または直径）は、上部分１４０２の周縁部１４０８および／または最も外側の周縁部の両端にわたる距離の約３０から約４０パーセントでよい。一実施形態では、底部分１５０２の面１５０８の断面距離（または直径）は、上部分１４０２の周縁部１４０８および／または最も外側の周縁部の両端にわたる距離の約３７から約４８パーセントでよい。
【００４３】
[57]一実施形態では、上部分１４０２および底部分１５０２の構成は、一緒にそれらの間にモップ繊維を固定する際に、モップ繊維を垂直面にほぼ平行に（すなわち、ｙ軸に沿って）押しやるように壁１４１０を位置決めできるようになっている。別の実施形態では、壁１４１０を、モップ繊維が水平面から少なくとも４５度に押しやるように位置決めすることができる。別の実施形態では、壁１４１０を、複数のモップ繊維が水平面から少なくとも６５度に押しやるように位置決めすることができる。さらなる実施形態では、壁１４１０を、モップ繊維が水平面から少なくとも７５度に押しやるように位置決めすることができる。
【００４４】
[58]特定の実施形態では、上部分１４０２および底部分１５０２のサイズおよび／またはサイズのバランスにより、以前から知られた様々なシステムおよび方法のいくつかの面を改善することができる。一実施形態では、上部分１４０２または底部分１５０２のサイズおよび／またはバランスにより、以下の例示的な改善のうちの１つまたは複数を可能にすることができる：垂直配向において個々のモップ繊維の位置合わせが良好なこと、繊維そのものの捻れを低減すること、モップの使用中に細長い部材１２の軸を中心に回転して繊維がさらに旋回すること、およびそれらの組み合わせ。これらの特性は単なる例示的なものであり、様々な従来技術のデバイスに対する他の改善形態が除外されないことを本開示の利益を有する当業者なら簡単に理解するであろう。
【００４５】
[59]さらなる態様が、新しい絞り器ならびに様々な新しい特性を有する絞り器に関する。図１６Ａに、本開示の一実施形態による例示的な絞り器１６０２の斜視図を示す。絞り器１６０２は単一の本体を備えることができ、その単一の本体は、（ｙ軸などの）垂直軸に沿って上側端部１６０４および下側端部１６０６を有する。一実施形態では、絞り器１６０２のｙ軸に沿った長さは、約２５から約３０センチメートルでよい。さらに他の実施形態では、約２８から約２９センチメートルでよい。さらなる実施形態では、絞り器１６０２の長さは約２８．５センチメートルでよい。
【００４６】
[60]最初に例示の上側端部１６０４を見ると、上側端部１６０４は終端部１６０８を有することができ、その終端部１６０８は第１の外側周縁部（周縁部１６１０参照）を画定する。特定の実施形態では、外側周縁部１６１０を、実質的に円形または楕円形とすることができる。終端部１６０８はさらに第１の内側周縁部１６１２を含むことができ、その第１の内側周縁部１６１２は中心孔１６１４を画定する。中心孔１６１４の構成は、細長い部材１２が絞り器１６０２の内部を貫通できるようになっている。したがって、いくつかの実施形態では、中心孔１６１４を実質的に円形とすることができる。しかし、他の実施形態では、中心孔１６１４のサイズおよび形状を変えることができる。
【００４７】
[61]終端部１６０８に加えて、上側端部１６０４の他の部分は、水平軸に関して円形または楕円形の周縁部を特徴とすることができる。したがって、一実施形態では、上側端部１６０４の少なくとも一部分を円筒形とすることができる。これは、図１６Ｂに示す絞り器１６０２の側面図および図１６Ｃに示す上面図を見ると最もよく分かる。例えば、最初に図１６Ｂを見ると、周縁部１６１０は、図１６Ｂの水平面に関して実質的に円形であり、したがって、直線で示されている。例示の実施形態では、周縁部１６１６および１６１７も実質的に円筒形であり、したがって、例示の例の絞り器１６０２のうちの周縁部１６１６と周縁部１６１７との間の部分の断面領域は実質的に円筒形である。
【００４８】
[62]上側端部１６０４のある部分は、他の部分よりも円筒形に近くすることができる。例えば、終端部１６０６は、周縁部（すなわち、周縁部１６０８）を画定することができ、その周縁部は、周縁部１６１７など、上側端部１６０４のうちの下側端部１６０６により近接した位置の周縁部よりも円筒形に近い。この点で、上側部分１６０４の断面領域の形状は、下側端部１６０６に近づくにつれて、円錐形または円錐−円筒形に近くなってよい。図１６Ｃに絞り器１６０２の底面図を示す。図１６Ｃから分かるように、周縁部１６１０、１６１６、および１６１７はそれぞれ、同心円として示されており、１６１０は１６１６よりも小さく、１６１６は１６１７よりも小さい。したがって、例示の実施形態では、絞り器１６０２の上側端部１６０４は、実質的に円筒形に形成することができ、円錐−円筒形の３次元構造を有することができる。さらなる実施形態では、上側端部１６０４の一部分には、円筒および／または楕円に似た周縁部が無くてよい。絞り器１６０２の下側端部１６０６に関連して以下で説明するように、上側端部１６０４の様々な部分における絞り器１６０２の断面領域または断面距離は、下側端部１６０６の様々な部分における絞り器１６０２の断面領域または断面距離とは明確に異なってよい。
【００４９】
[63]上側端部１６０４は、絞り器１６０２の全長の約４０％から約６０％でよい。他の実施形態では、上側端部１６０４は、絞り器１６０２の長さの約４５％から約５５％、または４７．５％から約５２．５％でよい。さらに別の実施形態では、上側部分１６０４は、絞り器１６０２の長さの約５０％である。さらなる実施形態では、上側部分１６０４の長さは、約１２から約１８センチメートルでよい。一実施形態では、上側部分１６０４の長さは、約１５から約１６センチメートルでよい。特定の実施形態では、上側部分１６０４は、絞り器１６０２の動作中に水を除去するための空隙または突起物がないことを特徴とすることができる。下側部分１６０６と異なり、空隙がないことならびに円筒形であることによって上側端部１６０４を定義することができる。
【００５０】
[64]モップ繊維から水を除去するために絞り器に多くの空隙を用いる利益を教示する、他の従来技術のシステムおよび方法とは異なり、本開示の実施形態は、孔１６１４を除いて空隙が実質的に全く無い、絞り器１６０２の上側端部１６０４など、絞りカップの上側部分を対象としている。例えば、例示の実施形態に示すように、上側端部１６０４には、水の排出のための突起物または空隙が無い。出口１６３１に関連して以下に様々な実施形態に関連してさらに論じる。
【００５１】
[65]上側端部１６０４は、構造体１６１８など、突出部または隆起部分を１つまたは複数含むことができる。構造体１６１８の構成は、利用者が把持できるように、例えば、動作中に絞り器を操作するようになっていてよい。特定の実施形態では、突出部１６１８は、図に示すようなＶ字形のパターンを１つまたは複数備えることができる。
【００５２】
[66]絞り器１６０２の下側端部１６０６は、終端部１６２０を含むことができ、その終端部１６２０は、第２の外側周縁部（例えば、要素１６２２参照）を有する。特定の実施形態では、第２の外側周縁部１６２２は、円形または楕円でなくてよい。これは、上側端部１６０４が実質的に円筒形もしくは円錐−円筒形である実施形態、および／または第１の外側周縁部１６１０が実質的に円形もしくは楕円である実施形態にも当てはめることができる。第２の外側周縁部１６２２は、特定の実施形態では楕円または円形でないが、凸形、凹形、湾曲したおよび／または丸い構成要素を１つまたは複数備えることができる。例示の実施形態では、第２の外側周縁部１６２２は、第１の外側周縁部１６１０よりも大きい断面積を囲繞する。周縁部１６２２のさらなる特性を以下により詳細に提示する。さらに、周縁部１６２２は、レッジ１６３２に関連して説明する特性または品質のうちの１つまたは複数を含むことができ、その逆も同様である。しかし、特定の実施形態では、レッジ１６３２が周縁部１６２２を備えることを理解されたい。しかし、他の実施形態では、絞り器１６０２にはレッジ１６３２が無い。
【００５３】
[67]一実施形態では、周縁部１６２２および／またはレッジ１６３２は約２６．３センチメートルでよい。一実施形態では、周縁部１６２２は、（１つまたは複数の）周縁部１６１０、１６１６、および／または１６１７の長さの約２倍である。一実施形態では、（１つまたは複数の）周縁部１６１０、１６１６および／または１６１７は、周縁部１６２２の約５０〜６０％でよい。別の実施形態では、（１つまたは複数の）周縁部１６１０、１６１６、および／または１６１７は、周縁部１６２２の約５５％でよい。一実施形態では、以下に説明するように下側端部１６０６に凸形または凹形の領域が１つまたは複数存在するので、上側端部１６０４の（１つまたは複数の）周縁部１６１０、１６１６、および／または１６１７と、下側端部１６０６の周縁部１６２２との間に断面領域の差があってよい。
【００５４】
[68]絞り器１６０２の下側端部１６０６は、凸形領域１６２４〜１６３０を１つまたは複数含むことができる。例示の実施形態では、凸形領域１６２４〜１６３０は、コラムを備えることができる。したがって、図１６に示す実施形態を参照しながら、本開示を通して領域１６２４〜１６３０を「コラム」と呼ぶことがあるが、読者には本開示をそのように限定しないように助言する。凸形領域／コラム１６２４〜１６３０は実質的に垂直でよい。例えば、例示の実施形態では、コラム１６２４〜１６３０は、長さが実質的に直線であり、湾曲しない（すなわち、水平軸に沿って曲がっていない）ように実装される。
【００５５】
[69]図１６Ａ〜図１６Ｄを通して分かるように、コラム１６２４〜１６３０を丸い構成要素として実装することができ、それらの構成要素は、上側端部１６０４からの距離が長くなり、下側の第２の外側周縁部１６２２までの距離が短くなるにつれて、水平面（ｘ軸参照）に沿って幅が広くなってよい。図１６Ｄで最もよく分かるように、コラム１６２４〜１６３０は、レッジ１６３２において終端することができる。この点で、コラム１６２４〜１６３０は、楕円および／または円形でよいレッジ部分１６３２ａ〜１６３２ｄにおいて第２の外側周縁部１６２２に近接した部分で終端することができる。特定の実施形態では、レッジ部分１６３２ａ〜１６３２ｄは、少なくとも９０度の円形凸面である。さらなる実施形態では、レッジ部分１６３２ａ〜１６３２ｄは、少なくとも１３５度の円形凸面でよいが、他の実施形態では、半円を形成し、したがって約１８０度でよい。この点で、凸形領域１６２４〜１６３０の特定の実施形態を、円錐形または円錐−円筒形の構造を継ぎ合わせて実装することができる。例えば、図１６Ｃからよく分かるように、周縁部１６２２は、丸い構成要素１６２２ａを備えることができる。
【００５６】
[70]特定の実施形態では、１対の丸い構成要素（構成要素１６２２ａおよび１６２２ｂ参照）を、図１６Ｃに示すように対向するように位置決めすることができる。どんな範囲の円形形状も本開示の範囲内に包含されることを、本開示の利益を有する当業者なら理解するであろう。外側周縁部１６２２は、周縁部１６２２の対応部分がレッジ１６３２または１６３２に関連して説明したものと実質的に同じ形状を有するように、レッジ１６３２と実質的に同一でよい。
【００５７】
[71]凸形領域／コラム１６２４〜１６３０を、図１６Ｃに示すように、対向するように位置決めすることができる。例示の実施形態では、２対の丸い構成要素を示し、それぞれ水平面に関して互いから約９０度である。一実施形態では、４つの凸形領域１６２４〜１６３０は、概して正方形を形成する（図１６Ｄ参照）ように配置することができる。こうした実施形態の一つでは、凸形領域の下側部分は、凸形領域の上側部分よりも正方形に近い形状である。この点で、レッジ１６３２は、概して正方形でよい。他の形状が本開示の範囲内に包含されることを当業者なら理解するであろう。
【００５８】
[72]特定の実施形態は、水平面の断面が非円形の絞り器１６０２を提供する凸形領域の実装を対象とする。さらなる実装形態は、絞り器１６０２の下側端部１６０６が上側部分１６０４と比較してより大きい断面領域を有するような領域１６２４〜１６３０を含む凸形領域を利用することができる。特定の実施形態では、これにより、対応するモップ繊維への圧力を小さくすることができる。さらなる実施形態では、絞り器１６０２に対するモップ繊維の圧力が小さいことにより、絞り器１６０２の上側端部１６０４の繊維間の近接距離と比較したときにモップ繊維を大きくすることが可能になる。特定の実施形態では、繊維間の近接距離を小さくすると、従来技術のシステムおよび方法に対して水の排出を改善することができる。例えば、周縁部１６２２を実質的に正方形の形状にすることができる。改善された排出の例も、図１７を参照しながらより詳細に論じる。
【００５９】
[73]本発明の態様を、対向する丸い面またはその対から構成された外側周縁部１６２２に限定すべきではない。他の形状および構成が、本開示の範囲内に包含される。さらに、特定の実施形態は、凹形領域１６３４〜１６４０など、凹形の構成要素を対象とする。（図１６Ｄに、例示の領域１６３４〜１６４０の全体形状を、レッジ１６３２および／または周縁部１６２２に近接して配置される仮想線で示し、図１６Ａに凹形領域１６３４の一部分の可能な形状を示す）。図１６Ａを見ると、凹形領域１６３４を、領域１６２４および１６２６などの隣接する凸形領域の存在によって形成することができる。特定の実施形態では、凹形領域１６３４〜１６４０をそれぞれ、領域１６２４〜１６３０などの隣接する凸形領域の存在によって形成することができる。例えば、凸形領域１６２４と１６２６とを接合することで凹形領域１６３４が形成される。したがって、面上の様々な位置は、凹形領域および凸形領域の一部であってよい。１つまたは複数の凹形領域は、実質的に、１６２４〜１６３０などの凸形領域の反転したものでよい。
【００６０】
[74]凹形領域１６３４〜１６４０を、いくつかの実施形態では内向きに延在する複数のリブとして説明することができる。図１６Ａ〜図１６Ｄから分かるように、リブはそれぞれ第１の側部および第２の側部を備え、それらの側部が集束してリブ底部が形成される。その底部を、凹形領域１６３４〜１６４０の最も内側の湾曲部とすることができる。以下により詳細に説明するように、凹形領域１６３４〜１６４０は、排出用出口が無くてよく、したがって、特定の実施形態では、リブ底部およびリブ側部は、実質的に貫通孔が無くてよい。
【００６１】
[75]同様に、凸形領域１６２４〜１６３０を、いくつかの実施形態では、外向きに延在する複数のリブとして説明することができる。図１６Ａ〜図１６Ｄから分かるように、外向きのリブはそれぞれ第１の側部および第２の側部を備え、それらの側部が集束してリブ上部が形成される。その上部を、凸形領域１６２４〜１６３０の最も外側の湾曲とすることができる。以下により詳細に説明するように、凸形領域１６２４〜１６３０は、排出用出口を備えることができ、したがって、特定の実施形態では、リブ上部およびリブ側部は、貫通孔を備えることができる。特定の実施形態では、凸形領域１６２４〜１６３０の最も外側の湾曲部のみが貫通孔を備える。
【００６２】
[76]互いに隣接する凸形領域１６２４〜１６３０および凹形領域１６３４〜１６４０は、共通の側部を共有することができる。例えば、凹形領域のリブの第１の側部は、凸形領域に関するリブの第１または第２の側部でよい。特定の実施形態では、凹形領域の凹面は、対向しかつ／または隣接する凸形領域１６２４〜１６３０の凸面に等しくてよい。さらに他の実施形態では、１つまたは複数の凹形領域１６３４〜１６４０は、１つまたは複数の凸形領域１６２４〜１６３０の形状および／または曲率に無関係でよい。凹形領域１６３４〜１６４０は、上側端部１６０４からの距離が長くなり、下側の第２の外側周縁部１６２２までの距離が短くなるにつれて、水平面（ｘ軸参照）に沿って幅が広くなってよい。図１６Ｄに最もよく示すように、コラム１６３４〜１６４０はレッジ１６３２において終端することができる。
【００６３】
[77]凸形領域１６２４〜１６３０と凹形領域１６３４〜１６４０との組み合わせにより、従来の設計に対して排出の特徴を改善することができる。一実施形態では、絞り器１６０２の下側端部１６０６において水平面を通る（ｘ軸に沿った）断面領域は、「Ｘ」字形に似ていてよい。周縁部に近接した下側端部１６０６の断面の直径は、絞り器１６０２の上側端部１６０４に近接した下側端部１６０６の対応する断面の直径の少なくとも２倍でよい。一実施形態では、周縁部に近接した下側端部１６０６の断面の直径は、絞り器１６０２の上側端部１６０４に近接した下側端部１６０４の対応する断面の直径の約２００％でよい。一実施形態では、下側端部１６０４のうちの上側端部１６０４のすぐ隣の位置における絞り器１６０２の円周は、実質的に円形または楕円でよく、約１４から約１５センチメートルの周縁部を有することができ、下側端部１６０６のうちの周縁部１６２２のすぐ隣の位置は、非円形または楕円でよく、約２６から約２７センチメートルの周縁部を有することができる。
【００６４】
[78]開示したように凹形領域１６３４〜１６４０が存在することにより、絞り器１６０２の使用中に少なくともモップ繊維の外側部分に対して圧力を加えることができる。例示の実施形態に示すように、凹形領域１６３４〜１６４０はそれぞれ、出口１６３１など、任意の排出用出口または排出口が実質的に無い。１つまたは複数の凸形領域１６２４〜１６３０は、複数の出口１６３１などの排出用出口を備えることができる。特定の実施形態では、排出用出口１６３１を、実質的に凸形領域１６２４〜１６３０の長さに沿って位置決めすることができる。（単純にするために、出口１６３１にそれぞれ個別に印を付けていないが、印の無い出口が複数の出口１６３１のうちの一部を形成できることが図から明らかである）。
【００６５】
[79]図に示すように、領域１６２４〜１６３０はそれぞれ、出口１６３１などの出口を１つまたは複数備えることができる。一実施形態では、複数の出口１６３１を、（１つまたは複数の）凸形領域１６２４〜１６３０の垂直の長さの少なくとも７５％に沿って（図１〜図４の細長い部材１２に平行に）位置決めすることができる。しかし、他の実施形態では、複数の出口は、凸形領域１６２４〜１６３０の垂直の長さの少なくとも８０％、８５％、９０％、または９５％に沿っていてよい。一実施形態では、垂直に配置された出口１６３１が８から１０個あってよく、それらの出口１６３１は、各領域１６２４〜１６３０の長さに沿って位置決めされる。一実施形態では、各領域１６２４〜１６３０につき９個の出口１６３１がある。
【００６６】
[80]排出用出口１６３１の配置および／または設置を、現行の設計に対して排出を改善するように構成することができる。例えば、モップ繊維の外側部分が下側端部１６０６の凸形領域１６２４〜１６３０の内側周縁部に接するときは、出口１６３１により、排出能力を改善可能にすることができる。この点で、排出出口１６３１を、凸形領域１６２４〜１６３０の最も外側の面にのみ設けることができる。一実施形態では、各コラムまたは凸形領域１６２４〜１６３０ごとの任意の所与の水平面に１つしか出口が設けられない。例えば、図１６Ａ〜図１６Ｄを見ると、出口１６３１は、水平の長さがその垂直の高さよりも大きい横方向のスリットとして設けられる。
【００６７】
[81]領域１６２４の最も上の出口１６３１ａ（または任意の他の出口）は、高さ約０．５センチメートル、長さ約２センチメートルでよい。別の実施形態では、出口１６３１ａは、高さ約０．５から約０．７センチメートル、長さ約２．０から約２．２センチメートルでよい。高さよりも長さが大きい出口を有することは、単体でまたは本開示の他の要素と組み合わせたときに有利なことがある。一実施形態では、出口１６３１ａおよび／または任意の複数の出口１６３１の高さは、その長さの約２５〜３０％でよい。さらに他の実施形態では、出口１６３１ａおよび／または任意の複数の出口１６３１の高さは、その長さの約２８．５％でよい。出口１６３１ａは、領域１６３４など、隣接する凹形領域の最も内側の位置から少なくとも約１センチメートル離れることができる。このパラメータを図１６Ａに１６４２として示す。
【００６８】
[82]特定の実施形態では、複数の出口１６３１はそれぞれ、図に示すように同じ全体形状を有することができる。しかし、これは必要条件ではない。さらに、複数の出口１６３１を有する異なる出口は、凸形領域１６２４〜１６３０の寸法に関連して異なる寸法を有することができる。一実施形態では、凸形領域１６２４〜１６３０が絞り器１６０２の中心から離れる方に拡大するときに、対応する出口の寸法を予測可能な割合で変更することもできる。例えば、出口１６３１ｂは、高さ約０．７から約０．９センチメートル、長さ約２．０から約２．２センチメートルでよい。一実施形態では、出口１６３１ｂは、高さ約０．８センチメートル、長さ約２．１センチメートルでよい。特定の実施形態では、出口１６３１ｂおよび／または任意の複数の出口１６３１は、高さがその長さの約３５〜４０％でよい。他の実施形態では、出口１６３１ｂおよび／または任意の他の複数の出口１６３１は、高さがその長さの約３８％でよい。出口１６３１ｂは、領域１６３４など、隣接する凹形領域の最も内側の位置から少なくとも約２センチメートル離れることができる。このパラメータを図１６Ａに１６４４として示す。
【００６９】
[83]図１７に示すように、本発明の態様は、複数のモップ繊維が、底部を通って上に、周縁部１６２２などを経由して、垂直方向に絞り器１６０２の上側端部１６０４に向かって後退できる掃除用具に関する。例えば、モップ繊維を、図１４の連結用部品と同様または同一の連結用部品に連結させることができ、方向１７０２に沿って上に絞り器１６０２の内部に後退させることができる。一実施形態では、繊維は吸水性の不織繊維材料でよい。繊維は、長さ約４５．７２ｃｍまたは４８．２６ｃｍ（１８または１９インチ）、圧縮していない状態で厚さ約０．３８１ｃｍ（０．１５インチ）のストリップでよい。他の材料および寸法を使用することもできる。
【００７０】
[84]複数の繊維を、個々の繊維の上側部分が１６３１ａなどの少なくとも最も上側の出口の上方に配置されるように、垂直に後退させることができる。例えば、モップ繊維の少なくとも一部分は、絞り器１６０２内に完全に後退したときは仮想線１７０４の上方にあってよい。壁１４１０などの垂直壁を、仮想線１７０４上方に配置された繊維の少なくとも外側部分を実質的に垂直の配向に配置するように、単独でまたは絞り器の上側端部１６０４と組み合わせて利用することができる。一実施形態では、絞り器の上側端部１６０４に配置されたモップ繊維の外側部分の構成は、繊維が完全に絞り器１６０２中に後退するときに、実質的に垂直の配向になるようになっている。
【００７１】
[85]繊維の上側部分は、垂直下方向に中間部分に向かって移動し、その中間部分は、出口１６３１ａなどの最も上側の出口の下方であるが出口１６３１ｂなどの最も下側の出口の上方に位置してよい。一実施形態では、モップ繊維の中間部分は仮想線１７０６に近接している。同じ繊維の下側部分は、中間部分に近接しているがそれよりも垂直方向に下側にあってよい。例えば、繊維の下側部分は、出口１６３１ｂなどの最も下側の出口に近接するか、またはその下方にあってよい。一実施形態では、繊維の下側部分は、仮想線１７０８に近接しているが、その垂直方向に下側にあってよい。
【００７２】
[86]モップ繊維を絞り器１６０２中に後退させる際は、絞り器の構成は、絞り器１６０２の上側端部１６０４に配置された（図１６Ａに示す）孔１６１４を通して設けられた図１〜図４の細長い部材１２など、細長い部材などの中心軸を中心に回転するようになっていてよい。例えば、矢印１７１０は、絞り器１６０２が垂直軸に沿ったいずれかの水平方向に回転できることを示す。連結用部品および／または絞り器１６０２の形状もしくはサイズの結果、モップ繊維を垂直に配置することで、排出を改善することができる。一実施形態では、方向１７１０のうちの１つに沿ってモップを回転させると、モップ繊維の一部分のみを「絞る」ことができる。例えば、一実施形態では、（位置１７０４に近接してまたは出口１６３１ａの上方に配置できる）モップ繊維の上側部分は、（位置１７０６に近接して配置できる）モップ繊維の中間部分よりも前に捻れ始める。さらなる実施形態では、（位置１７０６に近接して配置できる）モップ繊維中間部分は、（位置１７０８または出口１６３１ｂに近接して配置できる）モップ繊維の下側部分よりも前に捻れ始めることができる。
【００７３】
[87]特定の実施形態では、（位置１７０４に近接してまたはその上方に配置できる）モップ繊維の上側部分を繊維内の流体を除去するために捻ることができる。同時に、繊維の中間部分および／または下側部分を、凸形領域１６２４〜１６３０の内部側に接して配置することができる。したがって、特定の実施形態により、流体がモップ繊維の上側部分から下に、繊維の中間部分および／または下側部分に流れて出口１６３１を出ることが可能になる。流体はまた、周縁部１６２２によって作られた開口部を通って出ることもできる。繊維が絞られると、上側部分のモップ繊維に対する捻り力が増大し、その結果、繊維の中間部分を捻ることができる。特定の実施形態では、中間の繊維も方向１７１０に沿って捻れ、繊維の捻れた中間部分から流体を除去することができ、その流体は、下にモップ繊維の中間部分の下側繊維および／または下側部分に向かって移動することができる。
【００７４】
[88]凹形領域１６３４〜１６４０の配置により、剛性の面を設けることができ、その結果、捻れるときに繊維に圧縮力が加えられる。出口１６３１ｂなどの下側に位置決めされた出口および／または底部を通して、流体を継続して除去することができる。連結用部品の垂直壁により繊維が垂直に位置合わせされた状態で、モップ繊維が捻れると、絞り器１６０２の形状および／またはサイズにより、単独でまたは組み合わせて、垂直軸を中心に凸形領域１６２４〜１６３０から離れる方に繊維を捻ることができる。
【００７５】
[89]掃除用具の構成はさらに、さらに加えた捻り力が下に伝達されて繊維の下側の中間部分を捻るようになっていてよい。例えば、さらなる圧縮力により、繊維に第２の圧縮力を加えることができる。一実施形態では、繊維の上側部分は、中間の繊維が捻れる前に、完全な１回転の少なくとも２５％捻れなければならない。別の実施形態では、繊維の上側部分は、中間の繊維の捻れが１回転の１０％超回転する前に、完全な１回転の少なくとも５０％回転しなければならない。一実施形態では、中間の繊維の捻れが１回転の２０％超回転する前に、繊維の上側部分は完全な１回転の少なくとも５０％回転しなければならない。特定の実施形態では、下側部分の繊維も、方向１７１０に沿って捻れ、その結果、繊維の捻れた下側部分から流体が除去される。この流体は、下に下側部分にある下側繊維にかつ／または絞り器１６０２の底部から外に移動することができる。出口１６３１ｂなどの下側に位置決めされた出口および／または底部を通して、流体を継続して除去することができる。
【００７６】
[90]特定の実施形態では、絞り器の構成は、領域１６２４〜１６３０などの凸形領域が領域１６３４〜１６４０などの凹形領域よりも大きい割合で外向きに垂直軸から離れる方に拡大するようになっている。これは、例えば、モップ繊維の下側部分よりも前に繊維の上側部分を捻るときに有用なことがある。例えば、凹形領域１６２４〜１６３０の断面領域が底部の近くで（すなわち、周縁部１６２２に近接した部分で）より大きくなるので、下側繊維は、繊維の上側部分よりも圧縮されない。これにより、繊維の下側部分の保水力を増大させることができる。したがって、出口１６３１の外に排出される流体に加えて、上部分が捻れるときに、流体を繊維の下側に位置決めされた部分に移送することもできる。従来技術のいくつかの方法とは異なり、これらの下側に位置決めされた繊維は、まだ（または少なくとも同じ割合では）捻れておらず、したがって、上側部分から排出される流体の増加を実現することができる。しかし、次いで、凹形部分１６２４〜１６３０の断面領域内に位置決めされた繊維を、下向きの渦巻き状の捻り力により内部の中心に向かって引かれるときに、後から絞ることができる。
【００７７】
[91]一実施形態では、繊維の上側部分を、繊維の下側部分が捻れるよりも前に、完全な１回転の少なくとも２５％捻ることができる。別の実施形態では、繊維の上側部分は、下側繊維の捻れが１回転の１０％超回転する前に、完全な１回転の少なくとも５０％回転しなければならない。一実施形態では、繊維の上側部分は、下側繊維の捻れが１回転の２０％超回転する前に、完全な１回転の少なくとも５０％回転しなければならない。
【００７８】
[92]上側部分、中間部分、および下側部分の言及はモップ繊維を基準にしているが、こうした言及が絞り器１６０２の対応するセクションと類似のものにできると当業者なら容易に理解するであろう。例えば、絞り器１６０２の上側セクションに配置されたモップ繊維は、同じ繊維の対応する部分が絞り器１６０２の下側中間セクションおよび／または下側セクションに配置される前に、第１の圧縮力の下で捻れてよい。
【００７９】
[93]この詳細な説明は理解を明確にするためにのみ与えられる。当業者には修正形態が明白である。本発明の意図する範囲は、以下の特許請求の範囲に記載される。
【符号の説明】
【００８０】
１０  モップ
１２  細長い部材
１６  端部
１４  モップ要素
１８  絞りカップ
２０  取っ手
３１  取っ手の下部
３５  貫通孔
５０  連結部品
【図１】
0005571109.tif 000002
【図２】
0005571109.tif 000003
【図３】
0005571109.tif 000004
【図４】
0005571109.tif 000005
【図５】
0005571109.tif 000006
【図６】
0005571109.tif 000007
【図７】
0005571109.tif 000008
【図８】
0005571109.tif 000009
【図９】
0005571109.tif 000010
【図１０】
0005571109.tif 000011
【図１１】
0005571109.tif 000012
【図１２】
0005571109.tif 000013
【図１３】
0005571109.tif 000014
【図１４Ａ】
0005571109.tif 000015
【図１４Ｂ】
0005571109.tif 000016
【図１５】
0005571109.tif 000017
【図１６Ａ】
0005571109.tif 000018
【図１６Ｂ】
0005571109.tif 000019
【図１６Ｃ】
0005571109.tif 000020
【図１６Ｄ】
0005571109.tif 000021
【図１７】
0005571109.tif 000022